(57)【要約】【課題】本発明は、付勢部材によるノブ側電極と電極の衝突時の衝撃を吸収し、打音の発生を抑制することができるスイッチユニットを提供する。【解決手段】スイッチユニット１は、支持体２３と、支持体に揺動可能に支持されたノブ本体４と、ノブ本体に取り付けられたノブ側電極５と、ノブ側電極に向かって突出する絶縁性の節度山８２が設けられたハウジング８と、節度山に対してノブ本体の揺動方向一方側に配置されるようにハウジングに保持されたハウジング側電極７と、ノブ本体とノブ側電極との間に設けられ、ノブ側電極をハウジング側電極に向かって付勢する付勢部材６と、を備え、ノブ本体を揺動させると、ノブ側電極が節度山を乗り越えてハウジング側電極に接離する。ハウジング側電極は、その節度山側の端部が、ノブ側電極から離れる方向に弾性変形可能になるようにハウジングに保持されている。【選択図】図６
2016054089.tif 000002
【特許請求の範囲】
【請求項１】
支持体と、前記支持体に揺動可能に支持されたノブ本体と、前記ノブ本体に取り付けられたノブ側電極と、前記ノブ側電極に向かって突出する絶縁性の節度山が設けられたハウジングと、前記節度山に対して前記ノブ本体の揺動方向一方側に配置されるように前記ハウジングに保持されたハウジング側電極と、前記ノブ本体と前記ノブ側電極との間に設けられ、前記ノブ側電極を前記ハウジング側電極に向かって付勢する付勢部材と、を備え、前記ノブ本体を揺動させると、前記ノブ側電極が前記節度山を乗り越えて前記ハウジング側電極に接離するユニットスイッチにおいて、
前記ハウジング側電極は、その前記節度山側の端部が、前記ノブ側電極から離れる方向に弾性変形可能になるように、前記ハウジングに保持されていることを特徴とするスイッチユニット。
【請求項２】
前記ハウジング側電極は、その前記節度山側の前記端部に、前記節度山に隣接して配置されたバネ部を有し、
前記ハウジングと前記バネ部における前記ノブ側電極に接触される面と反対側の面との間に弾性変形した前記バネ部が進入可能な撓み空間が形成されていることを特徴とする請求項１記載のスイッチユニット。
【請求項３】
前記ハウジングが、前記ハウジング電極を設置する平坦な設置面を有し、
前記ハウジング側電極が、前記設置面に重ねて配置されるともに、前記バネ部よりも前記節度山から離れた側に設けられる電極本体を有し、
前記バネ部が、前記設置面との間に前記撓み空間を形成しつつ前記設置面と対向する対向部と、該対向部と前記電極本体とを連接する曲げ部と、を有していることを特徴とする請求項２記載のスイッチユニット。
【請求項４】
前記付勢部材の付勢力が、前記ハウジング側電極の弾性復元力よりも大きくなるように形成されていることを特徴とする請求項１乃至請求項３のうち何れか一項記載のスイッチユニット。
【請求項５】
前記ノブ本体には、前記ハウジングと前記ノブ側電極の間に挟まれて、前記ノブ本体の所定の搖動範囲を超える搖動を規制するストッパ部が設けられていることを特徴とする請求項１乃至請求項４のうち何れか一項記載のスイッチユニット。
【発明の詳細な説明】
【技術分野】
【０００１】
本発明は、スイッチユニットに係り、特に、シーソ型のスイッチユニットに関するものである。
【背景技術】
【０００２】
従来、様々なシーソ型のスイッチユニットが提案されている（例えば特許文献１）。特許文献１に記載のスイッチユニットは、スイッチノブと、スイッチノブを揺動自在に支持するスイッチレバーと、ハウジングと、を備えて構成され、スイッチレバーは、スイッチノブが操作されて揺動することにより、ハウジングに収容されたバスバと接触する導電性の接点を有し、接点はスイッチノブが操作される方向と直交する方向に沿って設けられたばねによりバスバ側に付勢され、接点とバスバとが対向した際に当接して導通させるようになっている。
【０００３】
しかしながら、特許文献１に記載されたスイッチユニットは、接点及びバスバの表面において、徐々に酸化被膜が形成され、酸化被膜が形成された部分は導電性が低くなるため、長期間使用している場合に、接点とバスバとの間の導通が不安定になりやすいという問題があった。
【０００４】
このような問題を解決するために、出願人は、上述したシーソ型のスイッチとして、図９に示す構成のスイッチユニットを考えついた。同図に示すように、スイッチユニット１００においては、ケース本体１０１に対して揺動可能にノブ本体１０２が軸支されている。また、ケース本体１０１には、絶縁性の節度山１０４を挟んで設けられた一対のバスバ１０５ａ、１０５ｂ（ハウジング側電極）が収容されている。ノブ本体１０２には、スプリング１０６を介してコンタクト１０３（ノブ側電極）が取り付けられている。コンタクト１０３は、スプリング１０６により、一対のバスバ１０５ａ、１０５ｂに向けて付勢されている。
【０００５】
上述したスイッチユニット１００によれば、例えば、ノブ本体１０１を操作して矢印Ｙ１に示す方向に揺動させると、コンタクト１０３が節度山１０４を乗り越えてバスバ１０５ａからバスバ１０５ｂに切り替えて接触するように設けられている。コンタクト１０３は、ノブ本体１０２の揺動に伴ってバスバ１０５ａ、１０５ｂを摺接するため、酸化被膜を除去することができる。
【先行技術文献】
【特許文献】
【０００６】
【特許文献１】特開２００４−１４６１２８号公報
【発明の概要】
【発明が解決しようとする課題】
【０００７】
しかしながら、上述したスイッチユニット１００は、ノブ本体１０１の操作時にコンタクト１０３が節度山１０４の頂点を乗り越えた後、コンタクト１０３とバスバ１０５ａ、１０５ｂがスプリング１０６の付勢力により勢いよく接触するため、大きな打音が発生し、高級感を損なう、という問題があった。
【０００８】
そこで、本発明は、上記のような問題点に着目し、付勢部材によるノブ側電極と電極の衝突時の衝撃を吸収し、打音の発生を抑制することができるスイッチユニットを提供することを目的とする。
【課題を解決するための手段】
【０００９】
請求項１に記載された発明は、上記目的を解決するために、支持体と、前記支持体に揺動可能に支持されたノブ本体と、前記ノブ本体に取り付けられたノブ側電極と、前記ノブ側電極に向かって突出する絶縁性の節度山が設けられたハウジングと、前記節度山に対して前記ノブ本体の揺動方向一方側に配置されるように前記ハウジングに保持されたハウジング側電極と、前記ノブ本体と前記ノブ側電極との間に設けられ、前記ノブ側電極を前記ハウジング側電極に向かって付勢する付勢部材と、を備え、前記ノブ本体を揺動させると、前記ノブ側電極が前記節度山を乗り越えて前記ハウジング側電極に接離するユニットスイッチにおいて、  前記ハウジング側電極は、その前記節度山側の端部が、前記ノブ側電極から離れる方向に弾性変形可能になるように、前記ハウジングに保持されていることを特徴である。
【００１０】
請求項２に記載された発明は、請求項１に記載された発明において、前記ハウジング側電極は、その前記節度山側の前記端部に、前記節度山に隣接して配置されたバネ部を有し、前記ハウジングと前記バネ部における前記ノブ側電極に接触される面と反対側の面との間に弾性変形した前記バネ部が進入可能な撓み空間が形成されていることを特徴とするものである。
【００１１】
請求項３に記載された発明は、請求項２に記載された発明において、前記ハウジングが、前記ハウジング電極を設置する平坦な設置面を有し、前記ハウジング側電極が、前記設置面に重ねて配置されるともに、前記バネ部よりも前記節度山から離れた側に設けられる電極本体を有し、前記バネ部が、前記設置面との間に前記撓み空間を形成しつつ前記設置面と対向する対向部と、該対向部と前記電極本体とを連接する曲げ部と、を有していることを特徴とするものである。
【００１２】
請求項４に記載された発明は、請求項１乃至請求項３のうち何れか一項に記載された発明において、前記付勢部材の付勢力が、前記ハウジング側電極の弾性復元力よりも大きくなるように形成されていることを特徴とするものである。
【００１３】
請求項５に記載された発明は、請求項１乃至請求項４のうち何れか一項に記載された発明において、前記ノブ本体には、前記ハウジングと前記ノブ側電極の間に挟まれて、前記ノブ本体の所定の搖動範囲を超える搖動を規制するストッパ部が設けられていることを特徴とするものである。
【発明の効果】
【００１４】
請求項１に記載された発明によれば、ノブ側電極が付勢部材によりハウジング側電極に向けて付勢された状態で、ノブ本体が揺動した際に、ノブ側電極が節度山を乗り越えてハウジング側電極に接離するように設けられている。この際、ハウジング側電極の節度山側の端部が、ノブ側電極から離れる方向に弾性変形可能になるように、ハウジングに保持されているから、ノブ本体が揺動し、ノブ側電極がハウジング側電極に当接した際に、ハウジング側電極がノブ側電極から離れる方向に弾性変形することで、付勢部材によるノブ側電極とハウジング側電極の衝突時の衝撃を吸収し、打音の発生を抑制することができる。
【００１５】
請求項２に記載された発明によれば、ハウジング側電極は、その節度山側の端部に、節度山に隣接して配置されたバネ部を有し、ハウジングとバネ部におけるノブ側電極に接触される面と反対側の面との間に弾性変形したバネ部が進入可能な撓み空間が形成されている。よって、ノブ本体が揺動し、ノブ側電極がハウジング側電極に当接した際に、バネ部が撓み空間に進入するように弾性変形することで、付勢部材によるノブ側電極と電極の衝突時の衝撃を吸収する構造を実現することができる。
【００１６】
請求項３に記載された発明によれば、ハウジングが、ハウジング電極を設置する平坦な設置面を有し、ハウジング側電極が、設置面に重ねて配置されるともに、バネ部よりも節度山から離れた側に設けられる電極本体を有し、バネ部が、設置面との間に撓み空間を形成しつつ設置面と対向する対向部と、該対向部と電極本体とを連接する曲げ部と、を有している。よって、ノブ本体が揺動し、ノブ側電極がハウジング側電極に当接した際に、各バネ部が撓み空間に進入するように弾性変形することで、付勢部材によるノブ側電極と電極の衝突時の衝撃を吸収する構造を実現することができる。
【００１７】
請求項４に記載された発明によれば、付勢部材の付勢力が、ハウジング側電極の弾性復元力よりも大きくなるように形成されている。これによりハウジング側電極が、ノブ側電極から離れる方向に弾性変形可能とされ、ノブ側電極のハウジング側電極への摺動が損なわれるのを抑制できる。
【００１８】
請求項５に記載された発明によれば、ノブ本体には、ハウジングとノブ側電極の間に挟まれて、ノブ本体の所定の搖動範囲を超える搖動を規制するストッパ部が設けられている。よって、ノブ本体の搖動範囲が規定されることとなる。これにより、スイッチ操作のフィーリングを調整することが可能となる。
【図面の簡単な説明】
【００１９】
【図１】本発明の一実施の形態にかかるスイッチユニットを示す斜視図である。
【図２】図１に示すスイッチユニットの分解斜視図である。
【図３】（Ａ）は押圧操作部の一方側が押圧された状態を示す図であり、（Ｂ）は押圧操作部の他方側が押圧された状態を示す図である。
【図４】図３（Ａ）に示す状態において、他方側の押圧操作部が押圧されて、一方側に揺動される様子を示す断面図である。
【図５】ノブ本体が揺動されて図３（Ａ）に示す状態から図３（Ｂ）に示す状態に遷移する途中の状態を示す断面図である。
【図６】（Ａ）は、図５の動作に続く断面図であり、コンタクトの先端部が節度山の頂部に当接した状態を示す図であり、（Ｂ）は（Ａ）の要部拡大図である。
【図７】（Ａ）は、図６の動作に続く断面図であり、（Ｂ）、（Ｃ）は（Ａ）の要部拡大図である。
【図８】（Ａ）は、図７の動作に続く断面図であり、（Ｂ）、（Ｃ）は（Ａ）の要部拡大図である。
【図９】従来のシーソ型スイッチユニットを示す断面図である。
【発明を実施するための形態】
【００２０】
本発明の一実施形態に係るスイッチユニットを、図１〜図８を参照して説明する。このスイッチユニット１は、例えば車室内に設けられるとともに、電気回路を切り替えて照明バルブＬ（図２に示す）を点灯又は消灯させるものである。
【００２１】
図１は、本発明の一実施の形態にかかるスイッチユニットを示す斜視図である。
図２は、図１に示すスイッチユニットの分解斜視図である。ここで、図２中の矢印Ｙ、矢印Ｘ、矢印Ｚは互いに直交する方向を示す。以下の説明では、図２に示す矢印Ｙはノブ本体４の揺動方向を示し、図２に示す矢印Ｘは、搖動方向に直交するノブ本体４の搖動軸方向を示す。なお、本実施形態では、矢印Ｚは、鉛直方向と一致する方向であり、上下方向と記す場合がある。図３（Ａ）は押圧操作部の一方側が押圧された状態を示す図であり、（Ｂ）は押圧操作部の他方側が押圧された状態を示す図である。図４〜図８は、図１に示すスイッチユニットの動作の一例について説明するための断面図である。
【００２２】
本実施形態のスイッチユニット１は、図１、図２に示すように、ケース体２と、ケース体２に揺動可能に支持される操作ユニット３（図２に示す）と、照明バルブＬの電気回路（不図示）に接続されるとともに、操作ユニット３のコンタクト（ノブ側電極）５に接続される一対の電極７，７（ハウジング側電極）と、一対の電極７，７を保持するハウジング８と、を有して構成されている。スイッチユニット１は、操作ユニット３が揺動軸４４を中心として揺動した際に、コンタクト５がハウジング８の節度山８２を乗り越えて一対の電極７，７に接離することで、照明バルブＬの点灯又は消灯が切り替えられるように構成されている。
【００２３】
ケース体２は、図２に示すように、下方に開口した箱状のケース本体２１と、ケース本体２１の開口を覆う蓋部２２と、蓋部２２に設けられて操作ユニット３を揺動可能に支持する支持体２３と、を備え、蓋部２２が下方を車室内側に面するように配置されている。
【００２４】
蓋部２２は、照明バルブＬが発する光が透過するように光透過性を有する合成樹脂から構成されている。この蓋部２２は、操作ユニット３の押圧操作部４０を露出させる開口部２４を有して構成されている。支持体２３は、蓋部２２の開口部２４を囲うように、蓋部２２に筒状に立設形成されている。この支持体２３には、操作ユニット３を軸支する軸支部２５と、ハウジング８を係止するケース係止孔２６と、が設けられている。軸支部２５は、支持体２３を構成する周板を、蓋部２２から離れた側から切り欠いて形成されている。
【００２５】
操作ユニット３は、押圧操作部４０が形成された合成樹脂製のノブ本体４と、ノブ本体４に支持されるコンタクト５と、コンタクト５を、即ち一対の電極７，７に向けて付勢するコイルバネ（付勢部材）６と、を備えて構成されている。
【００２６】
ノブ本体４は、厚みを有する板状に形成され、表面に押圧操作部４０を有する基部４１と、コイルバネ６を支持するバネ支持部４２と、バネ支持部４２を囲むように筒状に立設形成された周壁４３と、ケース体２の軸支部２５に支持される揺動軸４４と、を備えている。押圧操作部４０は、基部４１の表面の揺動方向の両端部に形成された一対の隆起部４０Ａ，４０Ｂから構成されている。バネ支持部４２は、基部４１の裏面に棒状に立設形成されている。このバネ支持部４２は、コイルバネ６と同軸に挿入可能な棒状に形成されていて、コイルバネ６に挿入された状態で、当該コイルバネ６を伸縮自在に支持している。周壁４３には、揺動方向に対向する壁部４３Ａ,４３Ｂに、コンタクト５に形成されたコンタクト係止片５４を係止するノブ係止孔４５が形成されている。揺動軸４４は、周壁４３の搖動軸方向（矢印Ｘ方向）に対向する壁部４３Ｃ,４３Ｄにおいて、揺動方向（矢印Ｙ方向）の中心部から搖動軸方向に突出形成されている。この揺動軸４４は、各壁部４３Ａ,４３Ｂの基部４１側の端部に設けられている。このようなノブ本体４が、揺動軸４４を中心として支持体２３に軸支されることにより、支持体２３に対して揺動可能に設けられている。
【００２７】
コンタクト５は、板状の部材がＵ字状を成すように中心部（以下、先端部５０と記す）で曲げられて形成されたものであり、先端部５０と、先端部５０からノブ本体４の基部４１に近づくに従って揺動方向に離れる方向に傾斜する一対の傾斜板５１と、一対の傾斜板５１それぞれに連続される一対の対向板５２と、を備えている。また、コンタクト５には、各傾斜板５１と各対向板５２との境界部において、これらの間に架け渡されて、コイルバネ６からの力を受けるバネ受け５３が設けられている。このバネ受け５３は、一対の傾斜板５１のうち一方の一部が、他方に向けて切り起こされることで形成されている。
【００２８】
さらに、各対向板５２には、その一部が外側に切り起こされることで形成されて、ノブ本体４のノブ係止孔４５に係止するコンタクト係止片５４が設けられている。
【００２９】
このような操作ユニット３は、コイルバネ６の内側にバネ支持部４２を挿入し、圧縮させつつ、コンタクト５の一部を切り起こし、折り曲げて、コイルバネ６の端部にバネ受け５３を当接させる。そして、ノブ係止孔４５にコンタクト係止片５４が係止する。こうしてコンタクト５は、コイルバネ６によりノブ本体４の揺動軸４４に対して進退自在に取り付けられ、揺動軸４４から離れる方向、即ち電極７側に付勢されつつ、ノブ本体４に変位自在に支持される。
【００３０】
また、操作ユニット３は、ノブ本体４によりコンタクト５が係止された状態で、コンタクト５における傾斜板５１から先端部５０までの部分が、ノブ本体４よりも揺動軸４４から離れた側、即ち電極７側に突出して設けられている。そして、ノブ本体４が、揺動軸４４を中心として支持体２３に軸支された状態で、隆起部４０Ａが押圧されることにより、ノブ本体４が揺動されて、その先端部５０が揺動方向の他方側の電極７に接続されて、照明バルブＬが消灯するように構成されている。また、隆起部４０Ｂが押圧されることにより、ノブ本体４が揺動されて、その先端部５０が揺動方向の一方側の電極７に接続されて、照明バルブＬが点灯するように構成されている。
【００３１】
また、操作ユニット３は、各隆起部４０Ａ,４０Ｂが押圧された際には、ノブ本体４の揺動方向の壁部４３Ａ，４３Ｂが、ハウジング８の立設片８１に当接することで、ノブ本体４の揺動が停止されるように構成されている。このような、壁部４３Ａ，４３Ｂは、ノブ本体４の揺動を停止するストッパ部として機能する。換言すると、各壁部４３Ａ，４３Ｂは、予め設定されたノブ本体４の停止位置にてノブ本体４が停止するストッパ部として機能するように、その板厚及び立設寸法が設定されている。こうしてストッパ部としての壁部４３Ａ、４３Ｂは、ハウジング８の立設片８１とコンタクト５の対向板５２との間に挟まれて、節度山８２を挟んで両側に位置するノブ本体４の停止位置間、即ちノブ本体４の所定の搖動範囲を超える過剰な搖動を規制する。
【００３２】
一対の電極７，７は、略同一機能を有して構成されたものであり、板金に打ち抜き加工や曲げ加工が施されることで形成されている。一対の電極７，７のうち一方は図４中の右側に配置され、隆起部４０Ｂが押圧された際にコンタクト５に接触されるように構成され、一対の電極７，７のうち他方は図４中の左側に配置され、隆起部４０Ａが押圧された際にコンタクト５に接触されるように構成されている。
【００３３】
各電極７は、コンタクト５が接触される電気接触部７１と、電気接触部７１の後方側に連続されて電源が供給される電源端子７２と、電気接触部７１の前方側に連続されてバルブが接続されるバルブ接続部７３と、を備えている。各電極７は、電源端子７２、電気接触部７１及びバルブ接続部７３の順に、軸方向に延在する長尺状に形成されている。
【００３４】
電気接触部７１は、図７（Ｃ）に示すように、ハウジング８の設置面８０Ａに接触して配置される電極本体７５と、該電極本体７５よりも節度山８２側に設けられた板バネ（バネ部）７４と、を備えている。即ち、板バネ７４は、電気接触部７１の節度山８２側の端部に設けられ、かつ、節度山８２に隣接する位置に設けられている。板バネ７４は、設置面８０Ａとの間に撓み空間Ｓを形成しつつ設置面８０Ａと対向する対向部７７と、該対向部７７と電極本体７５とを連接する曲げ部７６と、を有している。このような板バネ７４は、揺動軸４４に進退する方向に弾性変形自在に構成されているとともに、自然状態において、ハウジング８の設置面８０Ａとの間に撓み空間Ｓを形成するようハウジング８に保持されている。ここで、撓み空間Ｓとは、板バネ７４におけるコンタクト５に接触される面と反対側の面とハウジング８との間に弾性変形した板バネ７４が進入可能な空間のことである。そして、隆起部４０Ａ，４０Ｂが押圧された際に、コンタクト５の先端部５０が板バネ７４に接触され、この板バネ７４が、撓み空間Ｓに進入するように弾性変形することで、コイルバネ６によるコンタクト５と板バネ７４の衝突時の衝撃を吸収するように構成されている。
【００３５】
ここで、本実施形態では、コイルバネ６の付勢力が、板バネ７４の弾性復元力よりも大きくなるように形成されている。このようにコイルバネ６や板バネ７４の弾性を調整することで、コンタクト５の板バネ７４に対する摺動が損なわれることなく、さらに、スイッチ操作に必要な押圧力を適宜な大きさとなるように設定することができる。
【００３６】
ハウジング８は、軸方向に延在形成される基壁８０と、この基壁８０の揺動方向の両縁から立設される一対の立設片８１と、を備えて断面が略コ字状になるように形成されている。
【００３７】
基壁８０には、板バネ７４が設置される平坦な設置面８０Ａが設けられている。この設置面８０Ａには、揺動方向の中心部において、コンタクト５に向けて突出形成された節度山８２が形成されている。節度山８２は、揺動軸４４に対して鉛直方向に並ぶ位置になるように設けられている。この節度山８２は、設置面８０Ａからの高さが一定となる表面８４を有する台部８２Ａと、この台部８２Ａの表面８４（図６（Ｂ）に示す）からコンタクト５に向けて断面半円状に突出した半円部８２Ｂと、を有して構成されている。一対の立設片８１には、ケース体２のケース係止孔２６に係止するハウジング係止片８３が設けられている。
【００３８】
このような基壁８０には、設置面８０Ａの節度山８２を挟んだ揺動方向の両側に、各電極７の各板バネ７４が設置される。つまり、各板バネ７４は、節度山８２に隣接する位置に設けられている。また、各板バネ７４の自然状態で、板バネ７４のコンタクト５が接触する側の面は、台部８２Ａの半円部８２Ｂが形成された表面８４よりも僅かに揺動軸４４側に位置するように設けられている。
【００３９】
次に、上述したスイッチユニット１の動作の一例について説明する。なお、本実施形態では、隆起部４０Ａを押圧して照明バルブＬを消灯させる場合の動作の一例を説明する。隆起部４０Ｂを押圧して照明バルブＬを点灯させる場合についても、搖動方向が逆向きになる以外はこれと略同様の動作となるので説明を省略する。
【００４０】
まず、図３（Ａ）に示す隆起部４０Ｂの押圧状態において、隆起部４０Ａを押圧する。すると、図４に示すように、ノブ本体４により支持されたコンタクト５が左方に押され、図５に示すように、コンタクト５の先端部５０が節度山８２の麓に当接する。さらに押されて搖動が進むと、図６（Ａ）（Ｂ）に示すように、コイルバネ６が圧縮されコンタクト５の先端部５０が揺動軸４４側に移動しつつ節度山８２を乗り上げる。この際、コンタクト５の先端部５０が節度山８２の頂部に当接し、圧縮されたコイルバネ６により、コンタクト５の節度山８２に作用する力が最大となる。
【００４１】
さらに押されて搖動が進むと、コンタクト５の先端部５０が、節度山８２を乗り越えて、図７（Ａ）中の左側の板バネ７４に勢いよく接触する。すると、図７（Ａ）（Ｂ）に示すように、板バネ７４が、撓み空間Ｓに進入するように弾性変形することで、コイルバネ６によるコンタクト５と板バネ７４の衝突時の衝撃を吸収する。こうして、隆起部４０Ａの押圧に伴うコンタクト５の電極７への衝撃音、即ち打音が抑制される。
【００４２】
この状態では、図７（Ｃ）に示すように、ノブ本体４の壁部４３Ａ，４３Ｂが、ハウジング８の立設片８１から離隔されているが、ノブ本体４のさらなる搖動に伴って、図８（Ａ）（Ｂ）に示すように、コンタクト５の先端部５０が、節度山８２から搖動方向に離れる方向に摺動され、図８（Ｃ）に示すように、ノブ本体４の壁部４３Ａ，４３Ｂが、ハウジング８の立設片８１に当接し、ノブ本体４の揺動が停止される。即ち、ノブ本体４の揺動方向の壁部４３Ａ，４３Ｂの先端部が、ハウジング８とコンタクト５の間に挟まれて、ノブ本体４の揺動を停止するストッパ部として機能する。ノブ本体４の揺動が停止位置にて停止される。こうして、コンタクト５と電極７とが接続されて、照明バルブＬが消灯される。
【００４３】
なお、上述した実施形態では、電気接触部７１は板バネ７４を有し、板バネ７４が、設置面８０Ａと対向する対向部７７と、該対向部７７と電極本体７５とを連接する曲げ部７６と、を有しているが、本発明はこれに限定されるものではない。曲げ部７６は必須の構成ではないので省略してもよい。その場合には、ハウジング８の設置面８０Ａが、各電極７がコンタクト５、即ち揺動軸４４から離れる方向に弾性変形可能とするように凹に設けられて、撓み空間Ｓを形成してもよい。また、曲げ部７６が省略された場合には、コイルバネ６の付勢力が、電極７の弾性復元力よりも大きくなるように形成されている。
【００４４】
また、上述した実施形態では、支持体２３とハウジング８とが別体構成されていたが、本発明はこれに限定されるものではない。支持体２３とハウジング８とが一体に構成されていてもよい。また、支持体２３は、蓋部２２と一体に構成されているが、本発明はこれに限定されるものではない。支持体２３は、蓋部２２と別体構成されていてもよい。
【００４５】
また、上述した実施形態では、ハウジング側電極として、一対の電極７が設けられていたが、本発明はこれに限定されるものではない。ハウジング側電極は、節度山８２に対してノブ本体４の搖動方向の一方側のみに１つだけ設けられていてもよい。
【００４６】
上述した実施形態は本発明の代表的な形態を示したに過ぎず、本発明は、実施形態に限定されるものではない。即ち、当業者は、従来公知の知見に従い、本発明の骨子を逸脱しない範囲で種々変形して実施することができる。かかる変形によってもなお本発明のスイッチユニットの構成を具備する限り、勿論、本発明の範疇に含まれるものである。
【符号の説明】
【００４７】
１              スイッチユニット
４              ノブ本体
５              コンタクト（ノブ側電極）
６              コイルバネ（付勢部材）
７              ハウジング側電極
８              ハウジング
２３            支持体
４３Ａ、４３Ｂ  壁部（ストッパ部）
７４            板バネ（バネ部）
７５            電極本体
７６            曲げ部
７７            対向部
８２            節度山
Ｓ              撓み空間
【図１】
2016054089.tif 000003
【図２】
2016054089.tif 000004
【図３】
2016054089.tif 000005
【図４】
2016054089.tif 000006
【図５】
2016054089.tif 000007
【図６】
2016054089.tif 000008
【図７】
2016054089.tif 000009
【図８】
2016054089.tif 000010
【図９】
2016054089.tif 000011